(57)【要約】【課題】  画像全体の輝度の低下や色再現性の低下を視聴者に認識させることなく、輝度補正や色補正が可能な画像表示装置とその制御方法を提供する。【解決手段】  本発明の画像表示装置は、画像を表示する液晶ライトバルブ８２２，８２３，８２４（表示手段）と、シーン変化を検出するシーン変化検出回路１１（シーン変化検出手段）と、その検出結果に基づいて画像の輝度補正の程度を判定する補正判定回路１２（輝度補正判定手段）と、その判定結果に基づいてシーンの変化が大きい側では輝度補正値をゼロまたは小さい値に設定し、シーンの変化が小さい側では輝度補正量を大きく設定して、画像信号に対して輝度補正処理を実行する補正回路１３（輝度補正手段）と、を備えたことを特徴とする。【選択図】        図２
2006349909.tif 000002
【特許請求の範囲】
【請求項１】
画像を表示する表示手段と、
前記画像のシーンの変化を検出するシーン変化検出手段と、
前記シーン変化検出手段の検出結果に基づいて前記画像の輝度補正の程度を判定する輝度補正判定手段と、
前記輝度補正判定手段の判定結果に基づいて前記シーンの変化が大きい側では輝度補正量をゼロまたは小さい値に設定し、前記シーンの変化が小さい側では輝度補正量を大きい値に設定して、前記画像を作り出す画像信号に対して輝度補正処理を実行する輝度補正手段と、を備えたことを特徴とする画像表示装置。
【請求項２】
画像を表示する表示手段と、
前記画像が静止画のシーンであるか動画のシーンであるかを検出するシーン変化検出手段と、
前記シーン変化検出手段の検出結果に基づいて前記画像の輝度補正の実行／不実行を判定する輝度補正判定手段と、
前記輝度補正判定手段の判定結果に基づいて、前記画像が静止画と判定されたときには前記画像を作り出す画像信号に対して輝度補正処理を実行し、前記画像が動画と判定されたときには前記画像信号に対して輝度補正処理を実行しない輝度補正手段と、を備えたことを特徴とする画像表示装置。
【請求項３】
画像を表示する表示手段と、
前記画像が動画である場合のシーンの変化の大きさを検出するシーン変化検出手段と、
前記シーン変化検出手段の検出結果に基づいて前記画像の輝度補正の程度を判定する輝度補正判定手段と、
前記輝度補正判定手段の判定結果に基づいて、前記シーンの変化が小さいと判定されたときには輝度補正量を大きい値に設定し、前記シーンの変化が大きいと判定されたときには輝度補正量を小さい値に設定して、前記画像を作り出す画像信号に輝度補正処理を実行する輝度補正手段と、を備えたことを特徴とする画像表示装置。
【請求項４】
画像を表示する表示手段と、
前記画像のシーンの変化を検出するシーン変化検出手段と、
前記シーン変化検出手段の検出結果に基づいて前記画像の色補正の程度を判定する色補正判定手段と、
前記色補正判定手段の判定結果に基づいて前記シーンの変化が大きい側では色補正量をゼロまたは小さい値に設定し、前記シーンの変化が小さい側では色補正量を大きい値に設定して、前記画像を作り出す画像信号に対して色補正処理を実行する色補正手段と、を備えたことを特徴とする画像表示装置。
【請求項５】
画像を表示する表示手段と、
前記画像が静止画のシーンであるか動画のシーンであるかを検出するシーン変化検出手段と、
前記シーン変化検出手段の検出結果に基づいて前記画像の色補正の実行／不実行を判定する色補正判定手段と、
前記色補正判定手段の判定結果に基づいて、前記画像が静止画と判定されたときには前記画像を作り出す画像信号に対して色補正処理を実行し、前記画像が動画と判定されたときには前記画像信号に対して色補正処理を実行しない色補正手段と、を備えたことを特徴とする画像表示装置。
【請求項６】
画像を表示する表示手段と、
前記画像が動画である場合のシーンの変化の大きさを検出するシーン変化検出手段と、
前記シーン変化検出手段の検出結果に基づいて前記画像の色補正の程度を判定する色補正判定手段と、
前記色補正判定手段の判定結果に基づいて、前記シーンの変化が小さいと判定されたときには色補正量を大きい値に設定し、前記シーンの変化が大きいと判定されたときには色補正量を小さい値に設定して、前記画像を作り出す画像信号に色補正処理を実行する色補正手段と、を備えたことを特徴とする画像表示装置。
【請求項７】
前記画像を表示する画面を複数の領域に分割し、分割した個々の領域において前記シーン変化検出手段がシーンの変化を検出することを特徴とする請求項１ないし６のいずれか一項に記載の画像表示装置。
【請求項８】
画像を表示する際に、前記画像のシーンの変化を検出し、その検出結果に基づいて前記シーンの変化が大きい側では輝度補正量を小さい値に設定し、前記シーンの変化が小さい側では輝度補正量を大きい値に設定して、前記画像を作り出す画像信号に対して輝度補正処理を行うことを特徴とする画像表示装置の制御方法。
【請求項９】
画像を表示する際に、前記画像のシーンの変化を検出し、その検出結果に基づいて前記シーンの変化が大きい側では色補正量を小さい値に設定し、前記シーンの変化が小さい側では色補正量を大きい値に設定して、前記画像を作り出す画像信号に対して色補正処理を行うことを特徴とする画像表示装置の制御方法。
【発明の詳細な説明】
【技術分野】
【０００１】
本発明は、画像表示装置とその制御方法に関するものである。
【背景技術】
【０００２】
従来のプロジェクタ等の画像表示装置においては、リアプロジェクタのスクリーンに複数の光センサを配置し、光センサの検出信号に基づいて映像光の輝度や色バランスを画面内で均一に自動補正する方法が提案されている（例えば、特許文献１参照）。また、複数のセンサ間のばらつきによる補正精度の低下を抑えるために、センサに代えて複数の集光手段を配置し、複数の集光手段によって集めた光を１つのセンサで検出し、その検出信号に基づき補正を行う方法も提案されている（例えば、特許文献２参照）。
【特許文献１】特開平７−１６２７９０号公報
【特許文献２】特開２００２−２１４７００号公報
【発明の開示】
【発明が解決しようとする課題】
【０００３】
しかしながら、上記特許文献１、２のいずれの方法においても、一般に輝度補正を行う際には輝度を高める側に合わせることは極めて困難であり、輝度の最も低い箇所に全体を合わせなければならない。このことから、輝度補正を行うことで画像全体の輝度が低下してしまうという問題があった。また、色を補正する場合においても、彩度の低い側に合わせる、すなわち最も白色寄りの色に合わせる必要があることから、色再現範囲が狭くなるという問題があった。
【０００４】
本発明は、上記の課題を解決するためになされたものであって、画像全体の輝度の低下や色再現性の低下を視聴者に認識させることなく輝度補正や色補正が可能な画像表示装置とその制御方法を提供することを目的とする。
【課題を解決するための手段】
【０００５】
スポーツの映像のように、画像のシーンが大きく変化する場合には、画面内に多少の輝度ムラや色ムラがあっても視聴者の目にはほとんど感知されない。一方、風景の映像のように、画像のシーンがあまり変化しない場合には、画面内に微細な輝度ムラや色ムラがあっても感知されてしまう。本発明者は、人間の目のこのような特性に着目し、画像のシーンの変化が大きい場合には補正は必要ないか、もしくは補正を行っても多少の補正で足りる一方、画像のシーンの変化が小さい場合には十分な補正が必要であると考え、本発明の構成に想到した。
【０００６】
すなわち、上記の目的を達成するために、本発明の画像表示装置は、画像を表示する表示手段と、前記画像のシーンの変化を検出するシーン変化検出手段と、前記シーン変化検出手段の検出結果に基づいて前記画像の輝度補正の程度を判定する輝度補正判定手段と、前記輝度補正判定手段の判定結果に基づいて前記シーンの変化が大きい側では輝度補正量をゼロまたは小さい値に設定し、前記シーンの変化が小さい側では輝度補正量を大きい値に設定して前記画像を作り出す画像信号に対して輝度補正処理を実行する輝度補正手段と、を備えたことを特徴とする。
【０００７】
輝度補正時には全体の輝度が低下するのが避けられないが、本発明の画像表示装置によれば、シーン変化検出手段によってシーンの変化を検出した結果、シーンの変化が大きい側では輝度補正量をゼロまたは小さく設定しているので、シーンの変化が大きい側で輝度を高めることができ、画像全体としてみたときに輝度の低下を抑えることができる。その一方、シーンの変化が小さい側では輝度補正量を大きく設定して十分な輝度補正を行うので、良好な画像を得ることができる。また、本発明によれば、シーンの変化が大きい側で輝度を高めることができるので、シーン変化によらず輝度が同じでよいならば、シーンの変化が大きい側で光源自体の発光量を抑えることができ、消費電力を低減することができる。
【０００８】
また、本発明の他の画像表示装置は、画像を表示する表示手段と、前記画像が静止画のシーンであるか動画のシーンであるかを検出するシーン変化検出手段と、前記シーン変化検出手段の検出結果に基づいて前記画像の輝度補正の実行／不実行を判定する輝度補正判定手段と、前記輝度補正判定手段の判定結果に基づいて、前記画像が静止画と判定されたときには前記画像を作り出す画像信号に対して輝度補正処理を実行し、前記画像が動画と判定されたときには前記画像信号に対して輝度補正処理を実行しない輝度補正手段と、を備えたことを特徴とする。
【０００９】
本発明の画像表示装置においても、シーン変化検出手段によってシーンの変化を検出した結果、シーンが動画であると判定された場合には輝度補正を実行しないので、画像全体の輝度の低下を抑えることができる。その一方、シーンが静止画であると判定された場合には輝度補正を実行するので、良好な画像を得ることができる。
【００１０】
また、本発明の他の画像表示装置は、画像を表示する表示手段と、前記画像が動画である場合のシーンの変化の大きさを検出するシーン変化検出手段と、前記シーン変化検出手段の検出結果に基づいて前記画像の輝度補正の程度を判定する輝度補正判定手段と、前記輝度補正判定手段の判定結果に基づいて、前記シーンの変化が小さいと判定されたときには輝度補正量を大きい値に設定し、前記シーンの変化が大きいと判定されたときには輝度補正量を小さい値に設定して、前記画像を作り出す画像信号に輝度補正処理を実行する輝度補正手段と、を備えたことを特徴とする。
【００１１】
本発明の画像表示装置においても、シーン変化検出手段によってシーンの変化を検出した結果、シーンが動画である場合にシーン変化の大きさによって輝度補正量を変化させ、シーン変化が大きいときには輝度補正量を小さくしているので、画像全体の輝度の低下を抑えることができる。その一方、シーン変化が小さいときには輝度補正量を大きくしているので、良好な画像を得ることができる。
【００１２】
以上、輝度補正について述べたが、色補正についても以下に示すように全く同様である。  本発明の画像表示装置は、画像を表示する表示手段と、前記画像のシーンの変化を検出するシーン変化検出手段と、前記シーン変化検出手段の検出結果に基づいて前記画像の色補正の程度を判定する色補正判定手段と、前記色補正判定手段の判定結果に基づいて前記シーンの変化が大きい側では色補正量を小さい値に設定し、前記シーンの変化が小さい側では色補正量を大きい値に設定して、前記画像を作り出す画像信号に対して色補正処理を実行する色補正手段と、を備えたことを特徴とする。
【００１３】
色補正時には全体の彩度が低下するのが避けられないが、本発明の画像表示装置によれば、シーン変化検出手段によってシーンの変化を検出した結果、シーンの変化が大きい側では色補正量をゼロまたは小さく設定しているので、シーンの変化が大きい側で彩度を高めることができ、広い色再現範囲を維持することができる。その一方、シーンの変化が小さい側では色補正量を大きく設定して十分な色補正を行うので、色再現性に優れた画像を得ることができる。
【００１４】
また、本発明の他の画像表示装置は、画像を表示する表示手段と、前記画像が静止画のシーンであるか動画のシーンであるかを検出するシーン変化検出手段と、前記シーン変化検出手段の検出結果に基づいて前記画像の色補正の実行／不実行を判定する色補正判定手段と、前記色補正判定手段の判定結果に基づいて、前記画像が静止画と判定されたときには前記画像を作り出す画像信号に対して色補正処理を実行し、前記画像が動画と判定されたときには前記画像信号に対して色補正処理を実行しない色補正手段と、を備えたことを特徴とする。
【００１５】
本発明の画像表示装置においても、シーン変化検出手段によってシーンの変化を検出した結果、シーンが動画であると判定された場合には色補正を実行しないので、画像全体の彩度の低下を抑えることができる。その一方、シーンが静止画であると判定された場合には色補正を実行するので、色再現性に優れた画像を得ることができる。
【００１６】
また、本発明の他の画像表示装置は、画像を表示する表示手段と、前記画像が動画である場合のシーンの変化の大きさを検出するシーン変化検出手段と、前記シーン変化検出手段の検出結果に基づいて前記画像の色補正の程度を判定する色補正判定手段と、前記色補正判定手段の判定結果に基づいて、前記シーンの変化が小さいと判定されたときには色補正量を大きい値に設定し、前記シーンの変化が大きいと判定されたときには色補正量を小さい値に設定して、前記画像を作り出す画像信号に色補正処理を実行する色補正手段と、を備えたことを特徴とする。
【００１７】
本発明の画像表示装置においても、シーン変化検出手段によってシーンの変化を検出した結果、シーンが動画である場合にシーン変化の大きさによって色補正量を変化させ、シーン変化が大きいときには色補正量を小さくしているので、画像全体の彩度の低下を抑えることができる。その一方、シーン変化が小さいときには色補正量を大きくしているので、色再現性に優れた良好な画像を得ることができる。
【００１８】
上記のいずれの画像表示装置においても、前記画像を表示する画面を複数の領域に分割し、分割した個々の領域において前記シーン変化検出手段がシーンの変化を検出する構成としても良い。
この構成によれば、例えば１つの画面内に静止画部分と動画部分が混在しているような場合でも、画面全体の輝度の低下や彩度の低下を効率良く抑えつつ、表示品位の高い画像を得ることができる。
【００１９】
本発明の画像表示装置の制御方法は、画像を表示する際に、前記画像のシーンの変化を検出し、その検出結果に基づいて前記シーンの変化が大きい側では輝度補正量を小さく設定し、前記シーンの変化が小さい側では輝度補正量を大きく設定して、前記画像を作り出す画像信号に対して輝度補正処理を行うことを特徴とする。
また、本発明の画像表示装置の制御方法は、画像を表示する際に、前記画像のシーンの変化を検出し、その検出結果に基づいて前記シーンの変化が大きい側では色補正量を小さい値に設定し、前記シーンの変化が小さい側では色補正量を大きい値に設定して、前記画像を作り出す画像信号に対して色補正処理を行うことを特徴とする。
これら本発明の画像表示装置の制御方法が奏する作用、効果は上記と同様である。
【発明を実施するための最良の形態】
【００２０】
以下、本発明の一実施の形態を図１〜図３を参照して説明する。
本実施形態の画像表示装置は、液晶ライトバルブを表示手段として備えたプロジェクタの例である。
図１は本実施形態のプロジェクタの要部を示す概略構成図である。図２はプロジェクタの駆動回路部の構成を示すブロック図、図３は後述する輝度補正判定回路の動作を説明するためのフローチャートである。なお、以下の説明に用いる各図面では、各部材を認識可能な大きさとするため、各部材の縮尺を適宜変更している。
【００２１】
本実施形態のプロジェクタ８００（画像表示装置）は、図１に示すように、光源８１０、ダイクロイックミラー８１３，８１４、反射ミラー８１５，８１６，８１７、入射レンズ８１８、リレーレンズ８１９、出射レンズ８２０、液晶ライトバルブ８２２，８２３，８２４、クロスダイクロイックプリズム８２５、投射レンズ８２６から構成されている。光源８１０は、高圧水銀ランプ、メタルハライドランプ等のランプ８１１と、ランプの光を反射するリフレクタ８１２とから構成されている。
【００２２】
ダイクロイックミラー８１３は、光源８１０からの白色光に含まれる赤色光を透過させるとともに、青色光と緑色光とを反射する機能を有している。ダイクロイックミラー８１４は、青色光を透過させるとともに、緑色光を反射する機能を有している。よって、ダイクロイックミラー８１３を透過した赤色光は反射ミラー８１７で反射されて、赤色光用液晶ライトバルブ８２２に入射される。また、ダイクロイックミラー８１３で反射された緑色光は、ダイクロイックミラー８１４によって反射され、緑色光用液晶ライトバルブ８２３に入射される。
【００２３】
さらに、ダイクロイックミラー８１３で反射された青色光は、ダイクロイックミラー８１４を透過する。青色光に対しては、長い光路による光損失を防ぐため、入射レンズ８１８、リレーレンズ８１９および出射レンズ８２０を含むリレーレンズ系からなる導光手段８２１が設けられている。この導光手段８２１を介して青色光が青色光用液晶ライトバルブ８２４に入射される。
【００２４】
各液晶ライトバルブによって変調された３つの色光は、クロスダイクロイックプリズム８２５に入射する。このクロスダイクロイックプリズム８２５は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ８２６によってスクリーン８２７上に投影され、画像が拡大されて表示される。
【００２５】
図２は、上記の構成のプロジェクタの駆動回路部１０の構成を示すブロック図である。本実施形態では輝度補正のみを行う例として説明する。この図に示すように、本実施形態のプロジェクタ８００は、駆動回路部１０として、シーン変化検出回路１１（シーン変化検出手段）、補正判定回路１２（輝度補正判定手段）、補正回路１３（輝度補正手段）、加算回路１４、光源制御回路１５を備えている。
【００２６】
外部から供給された映像信号Ｓｖは、シーン変化検出回路１１と加算回路１４とに入力される。
まず、シーン変化検出回路１１は、映像シーンの変化の度合、すなわち現在のシーンが静止画であるのか動画であるのか、あるいは動画であればシーン変化が大きいのか小さいのかを判定するためのパラメータを算出する。本実施形態では、輝度ヒストグラムのフレーム間の形状変化に着目したシーン変化検出方法の一例を説明する。
【００２７】
まず、下記の（１）式を用いて、正規化輝度ヒストグラムＨiを求める。
【数１】
2006349909.tif 000003
ただし、ｈiは輝度ヒストグラムを示し、max（ｈi）は輝度ヒストグラムにおいて最大の頻度値を示す。ｉはフレーム番号を表す。したがって、（１）式は輝度ヒストグラムの最大値を１に正規化したものであり、正規化した輝度ヒストグラムをＨiと表す。
【００２８】
次に、上記のＨiと下記の（２）、（３）式を用いて、シーン変化判定パラメータα、βを求める。
【数２】
2006349909.tif 000004
ただし、ｊは輝度ヒストグラムの階級のインデックスを表す。したがって、パラメータαは、連続した２フレーム間で、１フレーム目の頻度値の２乗と前後２フレームの頻度値の積との差分値の、全階調の総和を表している。
【００２９】
【数３】
2006349909.tif 000005
（２）式と同様に、（３）式で求められるβは、２フレーム目の頻度値の２乗と前後２フレームの頻度値の積との差分値の、全階調の総和を表している。
【００３０】
シーン変化検出回路１１で算出されたパラメータα、βは、補正判定回路１２に入力される。補正判定回路１２では、図３に示すように、入力されたα、βと別途記憶されていた閾値ｔｈ１，ｔｈ２とを比較し、映像シーンの静止画／動画、あるいはシーン変化の大小を判定する。具体的には、閾値ｔｈ１，ｔｈ２はｔｈ１＜ｔｈ２の大小関係があり、まず最初にα、βとｔｈ１とを比較した後、α、βとｔｈ２とを比較するようになっている。比較する閾値は１つでもよいが、このように、α、βをｔｈ１，ｔｈ２という２つの閾値で判定することによって検出精度を高めることができる。
【００３１】
比較した結果、α＜ｔｈ２かつβ＜ｔｈ２の関係を満足した場合、そのシーンはシーン変化がない（静止画）と判定される。それ以外はシーン変化がある（動画）と判定される。さらに、上記の関係以外の中でα＞ｔｈ１かつβ＞ｔｈ１の関係を満足した場合、動画の中でも相対的にシーン変化が大きいと判定される。これら以外の関係を満足した場合、相対的にシーン変化が小さいと判定される。すなわち、補正判定回路１２では、現在のシーンが静止画（シーン変化無し）、シーン変化が小さい動画、シーン変化が大きい動画の３つのパターンのうちのいずれであるかが判定される。これら３つの判定結果の境界、すなわち、どのレベルから動画でどのレベルから静止画と判定するか、どのレベルからシーン変化が小さくどのレベルからシーン変化が大きいと判定するかは、ｔｈ１，ｔｈ２の値を適宜設定することで調整することができる。
【００３２】
補正判定回路１２の判定結果Ｃ（シーン変化：０、小、大）は、補正回路１３に入力される。補正回路１３は、上記の３つの判定結果のいずれかと映像信号補正値とを対応付けたルックアップテーブル（ＬＵＴ）を予め有しており、判定結果に対応した映像信号補正値ΔＳｖがＬＵＴに基づいて決定される。具体的には、シーン変化が０のときには相対的に大きな補正値が、シーン変化が小のときには相対的に小さな補正値が、シーン変化が大のときには補正値０が与えられるようになっている。また後述するが、補正回路１３は、上記の３つの判定結果のいずれかと光源輝度値とを対応付けたルックアップテーブル（ＬＵＴ）も有しており、判定結果に対応した光源輝度値ＢがＬＵＴに基づいて決定される。
【００３３】
補正回路１３により決定された映像信号補正値ΔＳｖは、加算回路１４に入力される。一方、加算回路１４にはオリジナルの映像信号Ｓｖも入力される。そして、オリジナルの映像信号Ｓｖと映像信号補正値ΔＳｖとが加算され、補正された映像信号Ｓｖｃが生成される。補正後の映像信号Ｓｖｃは各液晶ライトバルブ８２２，８２３，８２４（表示手段）に送られ、各液晶ライトバルブ８２２，８２３，８２４において映像信号Ｓｖｃに基づいて入射光が変調される。
【００３４】
また、補正回路１３により決定された光源輝度値Ｂは、光源制御回路１５に入力される。光源制御回路１５では、光源輝度値Ｂが光源８１０を実際に駆動するための駆動電圧Ｖｂ（または駆動電流）などの物理量に変換され、この駆動電圧Ｖｂが光源８１０に供給されて、光源８１０が駆動される。
【００３５】
本実施形態のプロジェクタ８００においては、このようなシーン変化検出、補正判定、補正値決定、映像信号補正、光源制御の一連のシーケンスが所定時間おきに自動的に進行し、シーン変化の度合に応じた輝度補正が自動的に行われる。
【００３６】
一般に輝度補正時には全体の輝度が低下するのが避けられないが、本実施形態のプロジェクタ８００によれば、シーン変化検出回路１１によってシーンの変化を検出し、補正判定回路１２で判定した結果、シーンの変化が大きいときには映像信号補正値ΔＳｖがゼロに設定されるので、シーンの変化が大きいときの輝度を高めることができ、画像全体としてみたときに輝度の低下を抑えることができる。その一方、シーンの変化がないとき（静止画時）には映像信号補正値ΔＳｖが大きく設定されるので、十分な輝度補正が行なわれ、表示品位の高い映像を得ることができる。また、シーンの変化が大きい側で輝度を高めることができるので、シーン変化の大きさによらず輝度が同じでよいならば、シーンの変化が大きい側での消費電力を低減することができる。また、シーンの変化が小さいときには上記２つの場合の中間的な動作を示し、効率の良いプロジェクタを実現することができる。
【００３７】
なお、本発明の技術範囲は上記実施の形態に限定されるものではなく、本発明の趣旨を逸脱しない範囲において種々の変更を加えることが可能である。例えば上記実施形態ではシーン変化検出方法として、輝度ヒストグラムのフレーム間の形状変化を検出する方法の例を挙げたが、その他、輝度平均値の変化を検出する方法や、輝度最小値および輝度最大値の変化を検出する方法など、周知の方法を採用することができる。
【００３８】
また、上記実施形態では輝度補正の例について述べたが、色補正についても全く同様に行うことができるし、輝度補正と色補正の双方を行うようにしても良い。色補正の場合であっても、上記実施形態と同様、シーン検出を行ってシーン変化が０、小、大の３つのパターンを判定した結果、シーンの変化が大きい側では色補正値をゼロまたは小さく設定する。これにより、シーンの変化が大きい側で彩度を高めることができ、広い色再現範囲を維持することができる。その一方、シーンの変化が小さい側では色補正量を大きく設定して十分な色補正を行うので、色再現性に優れた画像を得ることができる。
【００３９】
また、上記実施形態では、シーン変化が０、小、大の３つの場合分けを行う例で説明したが、それ以外の場合分けの方法として、α＜ｔｈ２かつβ＜ｔｈ２の関係を満足した場合に静止画と判定し、それ以外を動画と判定し、静止画では所定の映像信号補正値で補正を行い、動画では一切補正を行わないという２つの場合分けとしてもよい。この場合、処理が簡単となり、駆動回路部の規模も本実施形態より小さくて済む。
【００４０】
また、画像表示画面を複数の領域に分割し、分割した個々の領域においてシーン変化検出回路がシーンの変化を検出する構成としても良い。この構成によれば、例えば１つの画面内に静止画部分と動画部分が混在しているような場合でも、画面全体の輝度の低下や彩度の低下を効率良く抑えつつ良好な画像を得ることができる。
【００４１】
また、画像表示装置として、上ではプロジェクタの例を挙げたが、その他、液晶ディスプレイ（ＬＣＤ：Liquid Crystal Display）、ＥＬ（Electro-luminescence）ディスプレイ、プラズマディスプレイ、ＣＲＴ（Cathode Ray Tube）、等に本発明を適用することが可能である。
【図面の簡単な説明】
【００４２】
【図１】本発明の一実施形態のプロジェクタの概略構成図である。
【図２】同、プロジェクタの駆動回路部を示すブロック図である。
【図３】同、駆動回路部の補正判定回路の動作を説明するためのフローチャートである。
【符号の説明】
【００４３】
１０…駆動回路部、１１…シーン変化検出回路（シーン変化検出手段）、１２…補正判定回路（輝度補正判定手段）、１３…補正回路（輝度補正手段）、８００…プロジェクタ（画像表示装置）、８１０…光源、８２２，８２３，８２４…液晶ライトバルブ。
【図１】
2006349909.tif 000006
【図２】
2006349909.tif 000007
【図３】
2006349909.tif 000008